(57)【要約】【課題】水の吸収・発散またはおよび噴射とファンとの組み合わせにて加湿を図り、水回り部の丸洗いができるようにする。【解決手段】本体１内で水の吸収・発散またはおよび噴射にて気化を図る気化手段８、気化手段８により作られる気化雰囲気７を本体１外に排気し加湿に供するファン４を備え、ファン４を始めとする電気装備を持った上本体１ａと、気化雰囲気７の形成領域を始めとする水回り装備とを持った下本体１ｂとを着脱できるように組み合わせて前記本体１を形成することにより、上記の目的を達成する。【選択図】  図１
2005016807.tif 000002
【特許請求の範囲】
【請求項１】
本体内で水の吸収・発散またはおよび噴射にて気化を図る気化手段と、気化手段により作られる気化雰囲気を本体外に排気し加湿に供するファンとを備え、前記ファンを始めとする電気装備を持った上本体と、気化雰囲気形成領域を始めとする水回り装備を持った下本体とを着脱できるように組合せて前記本体を形成したことを特徴とする加湿機。
【請求項２】
貯水部、および水を吸収し発散させ気化を図る吸湿部材を持った下本体と、水を下本体内に噴射して分裂させ負イオン化空気の発生および気化を図る噴射ノズル、下本体で形成された気化雰囲気、および噴射水雰囲気を本体外に排気して加湿に供するファンを持った上本体とを備え、これら上本体と下本体とを分離できるように組み合わせて本体を形成したことを特徴とする加湿機。
【請求項３】
貯水部、水を吸収し発散させ気化を図る吸湿部材、および噴射される水を衝突させて分裂による負イオン化空気の発生を図る衝突面を持った下本体と、水を下本体の衝突面に向けて噴射し、また分裂させて負イオン化空気の発生および気化を図る噴射ノズル、および気化雰囲気、噴射水雰囲気を本体外に排気して加湿に供するファンを持った上本体とを備え、これら上本体と下本体とを分離できるように組み合わせて本体を形成したことを特徴とする加湿機。
【請求項４】
下本体において、貯水、給水、気化雰囲気および噴射水雰囲気形成の少なくとも１つに関係する１つまたは複数の水回り部材を所定の単位で分離できるように設けたことを特徴とする請求項１〜３のいずれか１項に記載の加湿機。
【請求項５】
上本体において、噴射ノズルおよびファンの羽根車まわりは上本体から所定の単位で分離できるように設けた請求項１〜４のいずれか１項に記載の加湿機。
【請求項６】
水を下本体内に噴射して分裂させ負イオン化空気の発生および気化を図る噴射ノズル、および噴射ノズルのまわりを囲う囲い壁を有し、この囲い壁は噴射水雰囲気をファンによって吸気する経路をなしている請求項１〜５のいずれか１項に記載の加湿機。
【請求項７】
上本体は、水を噴射するための電動ポンプを備えている請求項１〜６のいずれか１項に記載の加湿機。
【発明の詳細な説明】
【０００１】
【発明の属する技術分野】
本発明は加湿機に関し、詳しくは、水の吸収・発散またはおよび噴射にて気化を図って加湿を行う加湿機に関するものである。
【０００２】
【従来の技術】
従来、加湿方式としては、水をヒータにて加熱し蒸発、発散させるもの（例えば、特許文献１参照。）、水を超音波にて霧化させてファンにより排気するもの（例えば、特許文献２参照。）、水を超音波にて霧化させるとともに、それをヒータで加熱してファンにより排気するもの（例えば、特許文献３参照。）、水の吸収・発散をファンとヒータによる温風によって図り排気するもの（例えば、特許文献４参照。）が知られている。また、別に、本体部から延びた送風系の吹出口構造部の上流側内に、本体部にある給水系の導水パイプをノズルによって開口させ、洋ランなどの加湿対象に個別に使いやすくしたハンディタイプのものも知られている（特許文献５参照。）。
【０００３】
ところで、これら従来の加湿器は、ヒータや超音波振動子を蒸発容器や霧化容器の下に一体に設けるなど、電気装備部と水回り部分とを本体部に持ち、水回り部分の結晶異物や水垢を洗浄などできるようにするため、特許文献１に記載のもののように本体部の水回り部より上のカバー部や着脱部品を取り外して水回り部を上方に開放する構造を採っているものが多い。また、特許文献２、３に記載のもののように発生させた霧化雰囲気を排気するファンは水回りの下に配置して、霧化雰囲気を送り出し排気する構造を採用している。これにより、ファンおよびその駆動モータが霧化雰囲気に触れない利点がある。特許文献４に記載のものもヒータおよびファンが吸湿材とともに水回りと同レベルで配置されている。
【０００４】
【特許文献１】
特開平１０−３１８５６９号公報
【０００５】
【特許文献２】
特開２００３−０７４９１９号公報
【０００６】
【特許文献３】
特開２００２−０９８３６９号公報
【０００７】
【特許文献４】
特開２００２−１６２０７０号公報
【０００８】
【特許文献５】
特開平  ２−２１３６３２号公報
【０００９】
【発明が解決しようとする課題】
しかし、水回り部が本体内で上方に開放されるだけでは手や作業が細部に行き届きにくい。また、電装部への洗浄水の影響を考慮した中途半端な洗浄になりやすい。このため、水回り部を清潔に保ちにくい。ファンおよびその駆動モータが水回り部に設けられているタイプでは、水回り部を持った本体部が大きくて取り扱いにくい上に、本体部に吸気構造を有するなど洗浄水の影響を受けやすいので、さらに洗浄しにくい。
【００１０】
本発明の目的は、水の吸収・発散またはおよび噴射とファンとの組み合わせにて加湿を図り、水回り部の丸洗いができる加湿機を提供することにある。
【００１１】
【課題を解決するための手段】
上記のような目的を達成するために、本発明の加湿機は、本体内で水の吸収・発散またはおよび噴射にて気化を図る気化手段と、気化手段により作られる気化雰囲気を本体外に排気し加湿に供するファンとを備え、前記ファンを始めとする電気装備を持った上本体と、気化雰囲気形成領域を始めとする水回り装備を持った下本体とを着脱できるように組み合わせて前記本体を形成したことを１つの特徴としている。
【００１２】
このような構成では、上、下本体を組み合わせた本体で、下本体側の気化手段を始めとする水回り装備により、電気装備なしに水の吸収・発散またはおよび噴射を行って気化を図り、上本体側のファンを始めとする電気装備による吸、排気作用を下本体側に及ぼして、水回り装備なしにも、前記下本体側での気化を促進し、形成される高湿な気化雰囲気の本体外への排気を図って、まわりを加湿することができる。しかも、このように加湿が行える本体でも、水回り装備と電気装備とを住み分け装備した下本体と上本体とに分離することにより、水垢が付着するなど汚れが蓄積しやすい水回り部を下本体側で、電気装備への水の影響など無関係に洗浄水への浸漬や丸洗いなどして容易に、しかも細部まで行き届いた洗浄ができ、長期に清潔に保ちやすい。従って、環境改善機器、健康機器として好適である。また、水回り部は単独の取り扱いができることでドレン構造を省略しても排水ができコストを低減することができる。
【００１３】
本発明の加湿機は、また、貯水部、および水を吸収し発散させ気化を図る吸湿部材を持った下本体と、水を下本体内に噴射して分裂させ負イオン化空気の発生および気化を図る噴射ノズル、下本体で形成された気化雰囲気、および噴射水雰囲気を本体外に排気して加湿に供するファンを持った上本体とを備え、これら上本体と下本体とを分離できるように組み合わせて本体を形成したことを他の特徴としている。
【００１４】
このような構成では、上、下本体を組み合わせた本体で、下本体側の水の吸水と発散を図る気化手段を始めとする水回り装備と、上本体側の噴射ノズルからの水の噴射により、下本体側の電気装備なしに水の吸収・発散および噴射を行って気化および負イオン化空気の発生が図れる気化手段として働きながら、上本体側でのファンを始めとする電気装備による吸、排気作用を下本体側に及ぼして、前記下本体側での気化を促進し、形成される負イオン化空気および高湿な気化雰囲気の本体外への排気を図って、まわりを負イオンの供給を伴い加湿することができ、加湿だけの場合に比し環境改善および動植物を含めた健康促進に好適である。しかも、このように加湿が行える本体でも、下本体と上本体とに分離することにより、水垢が付着するなど汚れが蓄積しやすい水回り部を下本体側で、電気装備への水の影響など無関係に洗浄水への浸漬や丸洗いなどして容易に、しかも細部まで行き届いた洗浄ができる。上本体側は噴射ノズルにより水の噴射を行うにしても水とは外面にて触れ合うだけであって電気装備に影響しないので、洗浄の必要な水回り部を内部に有したものとはなっていないので、お手入れ上は水回り装備のないものと等価である。従って、本体全体に長期に清潔に保ちやすい点で、先の例と特に変わらない。また、水回り部は単独の取り扱いができることでドレン構造を省略しても排水ができコストを低減することができる。
【００１５】
本発明の加湿機は、また、貯水部、水を吸収し発散させ気化を図る吸湿部材、および噴射される水を衝突させて分裂による負イオン化空気の発生を図る衝突面を持った下本体と、水を下本体の衝突面に向けて噴射し、また分裂させて負イオン化空気の発生および気化を図る噴射ノズル、および気化雰囲気、噴射水雰囲気を本体外に排気して加湿に供するファンを持った上本体とを備え、これら上本体と下本体とを分離できるように組み合わせて本体を形成したことを別の特徴としている。
【００１６】
このような構成では、上、下本体を組み合わせた本体で、下本体側の貯水部での水受けまたはおよび水の供給を伴い、気化手段を始めとする水回り装備と、上本体側の水を噴射させて分裂させ負イオン化空気を発生させる噴射ノズルからの水の噴射により、下本体側での電気装備なしに水の吸収・発散および噴射を行って気化および負イオン化空気の発生を図り、上本体側のファンを始めとする電気装備による吸、排気作用を下本体側に及ぼして、前記下本体側での気化を促進し、形成される負イオン化空気および高湿な気化雰囲気の本体外への排気を図って、まわりを負イオンの供給を伴い加湿することができる。しかも、このように加湿が行える本体でも、下本体と上本体とに分離することにより、水垢が付着するなど汚れが蓄積しやすい水回り部を下本体側で、電気装備への水の影響など無関係に洗浄水への浸漬や丸洗いなどして容易に、しかも細部まで行き届いた洗浄ができる。上本体側は噴射ノズルにより水の噴射を行うにしても水とは外面にて触れ合うだけであって電気装備に影響しないので、洗浄の必要な水回り部を内部に有したものとはなっていないので、お手入れ上は水回り装備のないものと等価である。従って、本体全体に長期に清潔に保ちやすく、環境改善機器、健康機器として好適である。また、水回り部は単独の取り扱いができることでドレン構造を省略しても排水ができコストを低減することができる。
【００１７】
上記各発明での下本体において、貯水、給水、気化雰囲気および噴射水雰囲気形成の少なくとも１つに関係する１つまたは複数の水回り部材を所定の単位で分離できるように設けた、さらなる構成では、
下本体に、貯水、給水、気化雰囲気および噴射水雰囲気形成の少なくとも１つに関係する部材を分離できるように設けるのに、所定の単位で分離することにより、成形および洗浄双方の難易度を配慮して、必要最小限の部品数にて必要最小限の単位での洗浄水への浸漬や丸洗いなどの洗浄が行える。
【００１８】
上本体において、噴射ノズルおよびファンの羽根車まわりは上本体から所定の単位で分離できるように設けた、さらなる構成では、
上本体に設ける噴射ノズルおよびファンの羽根車まわりは、それ自体が水の噴射を行ったり、気化雰囲気の吸気、排気を行って、高湿雰囲気にさらされる意味で準水回り部となるが、上本体から分離できることによって、モータを始めとする電気装備から縁切りして、洗浄水への浸漬や丸洗いなどすることができる。
【００１９】
水を下本体内に噴射して分裂させ負イオン化空気の発生および気化を図る噴射ノズル、噴射ノズルのまわりを囲う囲い壁を有し、この囲い壁は噴射水雰囲気をファンによって吸気する経路をなしている、さらなる構成では、
噴射ノズルのまわりを囲う囲い壁は、噴射ノズルからの噴射水を所定の領域に拘束しながら、ファンからの吸気に供して、噴射水が形成しファンに吸気される気化雰囲気の単位量当りの湿度および負イオン化空気の濃度をほぼ規定することができる。
【００２０】
上本体が、水を噴射するための電動ポンプを備えている、さらなる構成では、
上本体に備えた噴射ノズルにて水を噴射するのに、上本体に電動ポンプを備えることによって、下本体側の貯水や下本体側からの給水といった水回り装備を、上本体側の電動ポンプによって利用し、上本体側に貯水や給水構造を持たずに噴射ノズルによる下本体への噴射を行うことができる。
【００２１】
本発明のそれ以上の目的および特徴は、以下の詳細な説明および図面の記載によって明らかになる。本発明の特徴は、それ単独で、あるいは可能な限り種々な組み合わせで複合して採用することができる。
【００２２】
【実施例】
以下、本発明の加湿機の実施例につき図１〜図１４を参照しながら説明する。本実施例は図１〜図４に示す例、図５〜図９に示す例、図１３、図１４に示す例のように、本体１内で水の吸収・発散またはおよび噴射にて気化を図る気化手段８と、この気化手段８により作られる気化雰囲気７を本体１外に排気し加湿に供するファン４とを備え、前記ファン４を始めとする電気装備を持った上本体１ａと、気化雰囲気７の形成領域を始めとする水回り装備を持った下本体１ｂとを、例えば図４で代表して示すように分離できるよう、図１または図５に示す例のように組合せて前記本体１を形成している。
【００２３】
このように、上、下本体１ａ、１ｂを組み合わせた本体１で、下本体１ｂ側の気化手段８を始めとする水回り装備により、電気装備なしに水の吸収・発散またはおよび噴射を行って気化を図り、上本体１ａ側のファン４を始めとする電気装備による吸、排気作用を下本体１ｂ側に及ぼして、水回り装備なしにも、下本体１ｂ側での気化を促進し、形成される高湿な気化雰囲気７の本体１外への排気を図って、まわりを加湿することができる。しかも、このように加湿が行える本体１でも、水回り装備と電気装備とを住み分け装備した上本体１ａと下本体１ｂとに分離することにより、水垢が付着するなど汚れが蓄積しやすい水回り部を下本体１ｂ側で、電気装備への水の影響など無関係に洗浄水への浸漬や丸洗いなどして容易に、しかも細部まで行き届いた洗浄ができ、長期に清潔に保ちやすい。従って、環境改善機器、健康機器として好適である。また、水回り部は単独の取り扱いができることでドレン構造を省略しても排水ができコストを低減することができる。
【００２４】
なお、水のノズルなどによる噴射は水の分裂を招き、噴射水雰囲気３中の水の微細化による気化と、いわゆるレナード効果による負イオン化空気の発生とを図ることができ、負イオンの発生は環境の清浄化と動植物を含む健康の促進が図れる。そこで、これを生かすため、図１〜図４の例、図５〜図９の例で示しているように、下本体１ｂは水回り部として、貯水皿３０や下本体１ｂの底部などによる貯水部、水を吸収し発散させ気化を図る吸湿部材１３を装備し、上本体１ａは、水を下本体１ｂ内に噴射して分裂させ負イオン化空気の発生および気化を図る噴射ノズル２、下本体１ｂで形成された気化雰囲気７、噴射水雰囲気３を本体１外に排気して加湿に供するファン４を装備したものとするのが望ましい。これにより、上、下本体１ａ、１ｂを組み合わせた本体１で、下本体１ｂ側の水の吸水と発散を図る吸湿部材１３よりなる気化手段８を始めとする水回り装備と、上本体１ａ側の噴射ノズル２からの水の噴射により、下本体１ｂ側の電気装備なしに水の吸収・発散および噴射を行って気化および負イオン化空気の発生が図れる気化手段８として働きながら、上本体１ａ側でのファン４を始めとする電気装備による吸、排気作用を下本体１ｂ側に及ぼして、下本体１ｂ側での気化を促進し、形成される負イオン化空気および高湿な気化雰囲気７の本体１外への排気を図って、負イオンの供給を伴いまわりを加湿することができ、加湿だけの場合に比し、環境改善および動植物を含めた健康促進に好適である。
【００２５】
しかも、下本体１ｂは依然として、電気装備への水の影響など無関係に洗浄水への浸漬や丸洗いなどして容易に、しかも細部まで行き届いた洗浄ができる上、上本体１ａ側でも、噴射ノズル２により水の噴射を行うにしても水とは外面にて触れ合うだけであって電気装備に影響しないので、洗浄の必要な水回り部を内部に有したものとはなっていないので、お手入れ上は水回り装備のないものと等価である。従って、本体１全体に長期に清潔に保ちやすい点で、先の例と変わりはない。
【００２６】
さらに、負イオン化空気の発生は、噴射水５の他との衝突により、噴射水のさらなる分裂と負イオン化空気の発生とを促進することができる。そこで、これを生かすため、図１〜図４の例、図５〜図１０の例で示しているように、下本体１ｂは、また、貯水皿３０や下本体１ｂの底部などによる貯水部、水を吸収し発散させ気化を図る吸湿部材１３、および噴射される噴射水５を衝突させて分裂による負イオン化空気の発生を図る衝突面２１を持ったものとし、上本体１ａは、水を下本体１ｂの衝突面２１に向けて噴射し、また分裂させて負イオン化空気の発生および気化を図る噴射ノズル２、気化雰囲気７および噴射水雰囲気３を本体１外に排気して加湿に供するファン４を持ったものとすることが好適である。
【００２７】
これにより、上、下本体１ａ、１ｂを組み合わせた本体で、下本体１ｂ側の貯水部としての貯水皿３０などでの水受けまたはおよび水の供給を伴い、気化手段８を始めとする水回り装備と、上本体１ａ側の噴射ノズル２からの水の下本体１ｂ側への噴射および噴射水５の衝突面への衝突により、下本体１ｂ側での電気装備なしに水の吸収・発散および噴射、衝突を行って気化および負イオン化空気の発生が図れる。これに併せ、上本体１ａ側のファンを始めとする電気装備による吸、排気作用を下本体１ｂ側に及ぼして、前記下本体１ｂ側での気化を促進し、形成される負イオン化空気および高湿な気化雰囲気の本体１外への排気を図って、高い濃度での負イオンの供給を伴いまわりを加湿することができる。しかも、このように加湿が行える本体１でも、下本体１ｂ側に電気装備がなく、上本体１ａ側は電気装備と噴射ノズル２があっても、洗浄の必要な水回り部を内部に有しない点は、先の例と共通している。
【００２８】
なお、図１〜図４の例、図５〜図９の例のいずれも、噴射ノズル２のまわりを囲う囲い壁４６を有し、この囲い壁４６は噴射水雰囲気３をファン４によって吸気する経路をなしている。このように、噴射ノズル２のまわりを囲う囲い壁４６は、噴射ノズル２からの噴射水５を所定の領域に拘束しながら、ファン４からの吸気に供して、噴射水５が形成しファン４に吸気される気化雰囲気７の単位量当りの湿度および負イオン化空気の濃度をほぼ規定することができる。従って、加湿機能、および負イオン発生機能が安定する。吸湿部材１３からの気化雰囲気７をファン４による吸気、排気に供する場合も同様、所定の径路を持つのが好適である。前記囲い壁４６はそのような経路を形成するのにも役立つ。
【００２９】
また、上本体１ａは、噴射ノズル２から水を噴射するための電動ポンプ４１を備えている。上本体１ａに備えた噴射ノズル２にて水を噴射するのに、上本体１ａに電動ポンプ４１を備えることによって、下本体１ｂ側の貯水皿３０における貯水６や下本体１ｂ側からの給水タンク３１などによる給水といった水回り装備を、上本体１ａ側の電動ポンプ４１によって利用し、上本体１ａ側に貯水６や給水構造を持たずに噴射ノズル２による下本体１ｂへの噴射を行うことができる。しかし、これに限られることはなく噴射ノズル２には上水道から水道水を供給して噴射するようにもできる。この場合、給水を電磁弁で制御すれば、電動ポンプ４１の駆動制御にて給水を制御するのと等価である。
【００３０】
以上のような下本体１ｂにおいて、貯水、給水、気化雰囲気および噴射水雰囲気形成の少なくとも１つに関係する１つまたは複数の水回り部材、つまり貯水皿３０、吸湿部材１３、衝突面２１などを所定の単位で分離できるように設けるのが好適である。下本体１ｂに、貯水６、給水、気化雰囲気７および噴射水雰囲気３形成の少なくとも１つに関係する部材を分離できるように設けるのに、所定の単位で分離することにより、成形および洗浄双方の難易度を配慮して、必要最小限の部品数にて必要最小限の単位での洗浄水への浸漬や丸洗いなどの洗浄が行える。また、ドレン構造省略状態での排水にもより便利なものとなる。
【００３１】
上本体１ａにおいて、少なくとも噴射ノズル２およびファン４の羽根車４３ａまわりは、図５で代表して示すように上本体１ａから分離できるように設ける。上本体１ａに設ける噴射ノズル２およびファン４の羽根車４３ａまわりは、それ自体が水の噴射を行ったり、気化雰囲気７の吸気、排気を行って、高湿雰囲気にさらされる意味で準水回り部となる。しかし、前記のように上本体１ａから分離できることによって、ファン４のモータ４２を始めとする電気装備から縁切りして、洗浄水への浸漬や丸洗いなどすることができるので、水回り部同様に長期に清潔に保つことができ、環境改善や健康を促進するのに好適である。
【００３２】
なお、気化手段８である吸湿部材１３も水回り部の１つの部材として単独で着脱できるようにしてあり、これを用いない使用状態を採ることができる。このような状態では、前記ファン４による吸気、排気中の湿気は噴射水雰囲気３によって与えられるだけであるので、加湿度を大きく抑えて負イオンの供給ができる。この場合の加湿度合は噴射ノズル２からの水の噴射量を増減することによって調節することができる。同様に、噴射ノズル２からの噴射を停止するか、噴射ノズル２を持たない構造での、吸湿部材１３の吸水、発散とファン４の吸引、排気だけによる加湿も行える。
【００３３】
さらに、図１〜図４の例では、噴射ノズル２および吸湿部材１３は、ファン４の上流に位置し、噴射水雰囲気３と吸湿部材１３が噴射水５またはおよび貯水６を給水して気化を図る気化雰囲気７とが個別の経路１６、１７を通じてファン４に吸気され、排気されるようにしている。これにより、噴射ノズル２からの水の噴射による負イオン化空気を含んだ噴射水雰囲気３の発生と、そのファン４への吸気とを、吸湿部材１３による噴射水５または噴射水５を含む貯水６の気化と、そのファン４への吸気とに対して、異なった領域および経路１６、１７にて行われるようにする。従って、負イオン化空気を含んだ噴射水雰囲気３はファン４内への吸気により始めて気化雰囲気７と混合し合って高い濃度で排気させるので、発生させた負イオン化空気をよく温存した上で、気化雰囲気７中に混合して排気に供し加湿することができる。ここに、経路１７は、前記囲い壁４６の噴射水雰囲気３に対するのと同様に、気化雰囲気７に対して働き、加湿機能を安定させられる。
【００３４】
また、噴射ノズル２の噴射方向を、ファン４による気流の方向とほぼ直角な向きから図に示す各例での反対向きなどとすることができる。このようにすると、噴射ノズル２からの噴射をファン４による気流１５の方向とほぼ直角な向きから反対の向きまでに行わせることになるので、噴射水５はその勢いによってファン４による気流１５に強く逆らい、特別な仕切などなくても乗じにくく、その分噴射量を多くしても噴射水５による排気中の湿気を抑えられる。
【００３５】
図１〜図３に示す例について、さらに詳しく説明すると、本体１を構成する上、下本体１ａ、１ｂは合成樹脂製で給水タンク３１とともに直方体形状をなしている。上本体１ａはその外ケース３２ａの底部３２ａ１が下本体１ｂの外ケース３２ｂの上部開口３２ｂ１に上方から着脱できるように嵌り合って本体１を分離可能に構成している。給水タンク３１は下本体１ｂにおける外ケース３２ｂの一端部の下部に設けたタンク受３２ｃに上方から着脱できるようにしている。タンク受３２ｃには外ケース３２ｂの底部内に設けた貯水皿３０の受水部３０ａが臨み、給水タンク３１からの給水が貯水皿３０に流れ込むようにしている。給水タンク３１は図１に示すような逆さの状態でタンク受３２ｃに嵌まり合って受止められ、給水状態に安定する。
【００３６】
給水タンク３１の前記給水状態では、給水タンク３１の下向きとなった給排口３１ａに装着した蓋３３に有する弁３４が、図４に示す閉じ状態から図１に示すように貯水皿３０の受水部３０ａ側の突起３５によってばね３６の閉じ力に抗し上方へ押し開かれ、蓋３３の給水口３３ａを開いている。これにより、給水タンク３１内の水３７は給水口３３ａを通じ受水部３０ａに流れ込み貯水皿３０内に拡がる。貯水皿３０の貯水６が給水口３３ａの高さに達してそれを図１に示すように塞ぐと、給水タンク３１内に外気が入り込めなくなって給水タンク３１内の水３７が流れ出なくなる。以降、貯水６が消費されて給水口３３ａが開かれる都度給水が再開し、給水口３３ａが閉じられる都度給水が停止することを繰り返し、給水タンク３１内に水３７がある間、貯水６は一定の水位に保たれる。給水タンク３１の上向き部分には取っ手３１ｂが設けられていて、本体１から着脱したり持ち運んだり、水３７を給排したりしやすい。
【００３７】
貯水６は図１に示すように電磁式の往復動ポンプなどである電動ポンプ４１により噴射ノズル２に供給して噴射させ、負イオン化空気の発生に供する。場合により、吸湿性のある部材１３に吸湿させて気流１５中への気化を図るようにもできる。ファン４による気流１５に乗じず吸気、排気されなかった噴射水５は、自然流下して、あるいは自然落下して貯水皿３０に受けられそこでの貯水６に合流する。
【００３８】
吸湿性の部材１３は不織布や連続気泡を有した成形材や焼結材など多孔質部材で構成すればよく、図１に示すように貯水６に下部が浸漬する状態にしておけば、それを吸収して上部に吸い上げ、既述したようにファン４による気流に曝すことで、その気流中への気化を図り加湿することができる。
【００３９】
貯水皿３０の上には、噴射ノズル２、ファン４、およびファン４を駆動するモータ４２が順次位置している。つまり、本体１の上側からすると、モータ４２、このモータ４２によって駆動されるファン４、噴射ノズル２、貯水部である貯水皿３０が位置している。これにより、ファン４が噴射水雰囲気３や貯水皿３０などの水回りの上に位置して、水回りからの噴射水５や水の気化粒子を吸気して排気するのに併せ、噴射水５の排気に随伴しなかった液分は自然流下して下部の貯水皿３０に溜まって貯水６となり上部に向かうことはない。従って、最上のモータ４２に水や湿気が及んで影響するのを確実に防止しながら、ファン４にも過剰に影響するのを防止することができる。しかも、噴射水５の下部ヘの移行または溜まりは、それ自体で、あるいは貯水６と共に、加湿、あるいは噴射ノズル２の噴射などに供しやすく好都合である。
【００４０】
ファン４はモータ４２に直結された羽根車４３ａと、吸気口４ａが下向きに開口し、前記羽根車４３ａを吸気口４ａと同心となるように収容したファンケーシング４３ｂとよりなり、ファンケーシング４３ｂの排気口４ｂは外ケース３２ａの天面に給水タンク３１との隣接位置に設けた排気口４４に接続されている。噴射ノズル２とファン４との間には、本体１内を上下に２分する合成樹脂製の仕切り壁４５が外ケース３２ａの底部として設けられている。仕切り壁４５の下面の、ファン４の吸気口４ａと同心になる位置に噴射ノズル２が下向きに設けられ、噴射方向が下向きの吸気口４ａから吸気される気流１５の向きと既述した逆な関係となるようにしている。ここに上本体１ａはその外ケース３２ａにファン４、モータ４２、およびポンプ４１を内蔵した機構部をなしている。
【００４１】
噴射ノズル２のまわりには、噴射ノズル２による噴射水雰囲気３の形成域を同心位置にて囲う囲い壁４６が仕切り壁４５と貯水皿３０の底部との間に設けられ、下半部の周方向複数箇所には貯水６の図１に示す最大水位よりも高い通口４６ａが設けられている。また、囲い壁４６内には貯水６の最大水位と、通口４６ａの上縁との間に位置する邪魔板４７を設けて、噴射ノズル２と対向する前記衝突面２１を形成している。
【００４２】
これにより、噴射ノズル２からの水の噴射、および噴射水５の衝突面２１への衝突とが、囲い壁４６内の独立した領域にてまわりからの影響なく安定して行われる。衝突面２１は邪魔板４７の浅い山笠形状による中央位置からまわりへ徐々に下降する若干の円錐面をなし、衝突してくる噴射水５を図に矢印で示すようにほぼ側方に向け、通口４６ａから外方へ難なく抜けるようにする。
【００４３】
囲い壁４６の外まわりには、囲い壁４６側と同心な環状の通路壁４８が設けられ、通路壁４８の外まわりには、通路壁４８と同心な環状の吸湿部材１３が設けられている。囲い壁４６と通路壁４８との間に噴射水雰囲気３がファン４に吸気される前記経路１６を形成し、通路壁４８と吸湿部材１３との間に吸湿部材１３に吸収されて気流１５に曝して気化した気化雰囲気７がファン４に吸気される前記経路１７を形成している。しかし、本例では、通路壁４８の下半部にも周方向複数箇所に通口４８ａを設けて、吸湿部材１３を通過した気化雰囲気７の一部を噴射水雰囲気３側の経路１６にも導入するようにしている。
【００４４】
また、外ケース３２ａの給水タンク３１とは反対の側面には、図２に示すように左右に別れた吸気口５０を設けてあり、仕切り壁４５にはその吸湿部材１３の外回りに対応する環状領域の周方向複数箇所に通気口６０と、ファン４の吸気口４ａと対応した通気口２０を設けてある。囲い壁４６、通路壁４８は一体で着脱でき、貯水皿３０、吸湿部材１３はそれぞれ単独に着脱できるようにしてあり、それぞれの丸洗いに好適である。吸湿部材１３は貯水皿３０のリブ状載置部３０ｂ上に着脱できるように載置され、貯水６に対し適度な深さまで浸漬されるようにしている。
【００４５】
これらにより、ファン４が働くと、まず経路１６、１７に吸気が及んで本体１外に排気される。このとき生じる負圧によって、経路１６を通じては主に、噴射ノズル２からの噴射水雰囲気３のファン４への吸気、排気が行われて、発生している負イオン化空気の供給と加湿とを行う。一方、経路１７を通じては、本体１外の空気が吸気口５０から本体１内のファン４まわりに吸気され、吸気された外気が通気口６０を経て吸湿部材１３の外回りに至って、吸湿部材１３の周方向全域をその外周側から内周側に通過する。このとき、吸湿部材１３を通過する空気は、吸湿部材１３に吸収され、吸湿されている液分の気化と気化粒子の随伴とを図って気化雰囲気７となり、その大半が前記経路１７を通じてファン４に吸気された後、本体１外に排気され前記に併せ加湿に供される。
【００４６】
気化雰囲気７の他の一部は経路１６および噴射ノズル２まわりへの給気となる。この給気は、囲い壁４６および通路壁４８内が噴射があるにしてもファン４からの吸気によって次第に負圧になるのを、前記気化雰囲気７の一部導入によって防止し、空気の不足によって負イオン化空気の発生が妨げられないようにしている。
【００４７】
また、噴射水雰囲気３を吸気する経路１６には気液分離手段５１を設けてある。図示する例では、気液分離手段５１は経路１６にてファン４に吸気される噴射水雰囲気３に旋回を与えるスパイラル羽根５２としてある。これにより、噴射水雰囲気３が前記旋回により遠心分離方式の気液分離を受けて、質量の大きな液分を通路壁４８の壁面に押し付けて残し、自然流下させながら、液分の少ない噴射水雰囲気３が上方に抜けてファン４へ吸気され排気されるようにする。しかし、他の気液分離の機構や方式を採用することもできる。
【００４８】
また、気化手段８として吸湿を図る吸湿部材１３が、図１に示すように噴射ノズル２のまわりに位置していることによって、噴射による負イオン化空気の発生を邪魔せず、噴射水５をそのまわりにて、通口４６ａ、４８ａを通じるなどして直接受けまたはおよび下部の貯水６を吸収し、それをファン４による気流１５に曝して気化を図り加湿に供することができる。
【００４９】
図３に示すように上本体１ａにおける外ケース３２ａの上面の給水タンク３１とは反対の側に操作パネル６３を設けてある。この操作パネル６３には運転キー６４、手動設定キー６５、自動設定キー６６、タイマ設定キー６７が設けられ、運転キー６４によって運転と運転停止とを行い、手動設定キー６５によって運転の強弱を設定し、自動設定キー６６によって「おまかせ」「おやすみ」「スピード」の自動モードを設定し、タイマ設定キー６７によって運転時間を手動設定するようにしてある。また、それらの動作モードや運転の状態、給水の必要などが各キーに対応して配置したランプ７１によって外部表示されるようにしている。なお、おまかせモードはファン４の速度および噴射ノズル２による噴射量共に標準設定とするか、自動検知した環境中の湿度や負イオン量などに応じた設定条件を自動的に調整するかである。おやすみモードは省エネを配慮してファン４の速度および噴射量を自動的にある程度抑えた設定とする。スピードモードは運転初期や環境が不快であったり、不適正であったりする場合の早期立ち上げや、ファン４の速度や噴射量を高めに維持したりするのに選択されるようにする。
【００５０】
このような動作を達成するのに、外ケース３２ａにおける前記操作パネル６３の下方内側に制御基板７２を設けてある。これによって制御基板７２はファン４の吸気口４ａよりも上、図示する例ではファン４よりも上に位置し、ファン４による気流１５によって噴射水雰囲気３とは勿論、吸湿部材１３を通過した気化雰囲気７とも遮断されるので、噴射水雰囲気３や気化雰囲気７による湿気の影響を受けないものとなっている。しかし、制御基板７２は回路ケース４０にて囲いさらなる防水を図っている。また、仕切り壁４５の通気口６０における、外ケース３２ａの吸気口５０に近い側には導風筒４５ａが上向きに立ち上がっていて、この部分での吸気を制限することで、吸湿部材１３の周方向まわりへの吸気量に大きな差が生じないようにしている。外ケース３２ａの吸気口５０の内側にはフィルタ７３を設けて吸気する室内空気中の塵埃を捕捉するようにしている。
【００５１】
上本体１ａは、特に、噴射ノズル２およびファン４まわりの分離を行うのに、モータ４２、操作パネル６３、および制御基板７２の電装部を持った上本体１ａに対し、図４に示すように噴射ノズル２および電動ポンプ４１を持った仕切り壁４５、下ファンケーシング４３ｂ２、羽根車４３ａ、上ファンケーシング４３ｂ１を下方から順次に分離し、単独で取り外せるようにしてあり、電装部を有しない羽根車４３ａおよび上、下ファンケーシング４３ｂ１、４３ｂ２の丸洗いに好適にしてある。羽根車４３ａは固定ナット９１によりモータ４２に着脱できるように固定し、仕切り壁４５はねじ９２によって上本体１ａに着脱できるように固定するようにしている。しかし、そのような着脱できる固定方式は、他の分離部を含めて種々なものを選択し採用することができる。
【００５２】
図５〜図９に示す例について詳細に説明する。外ケース３２ｂの底部に貯水部８１を設けると共に、そこでの貯水６の最大水位よりも上に位置する受水皿８０を、貯水部８１への座脚８０ａを持って単独に着脱できるように設け、その上に囲い壁４６、通路壁４８、吸湿部材１３が位置している。特に、通路壁４８は囲い壁４６および吸湿部材１３の高さの半分以下で囲い壁４６の通口４６ａの上縁よりも少し高い状態で受水皿８０に一体形成してあり、先の例のような通口を持たないものとしてある。これによって、通路壁４８は、衝突面２１に衝突してまわりに飛散し囲い壁４６の通口４６ａを通過していく噴射水５を受止めて、ダイレクトに吸湿部材１３の側に達するのを防止しながら、上方へ向かわせる案内経路８２をなし、その上部では囲い壁４６と吸湿部材１３との間に噴射水雰囲気３と吸湿部材１３を通過した気化雰囲気７とに共通したファン４への吸気を図る経路８３を形成している。また、衝突面２１は受水皿８０の底部の一部を所定形状に隆起させて形成している。本例では衝突面２１は外周部からアール形状を持って立ち上がった後、先の例のような浅い山笠形状を持ったものとしてある。これによって、囲い壁４６はそれ単独で、通路壁４８、衝突面２１は受水皿８０と一体でそれぞれ着脱できる。
【００５３】
前記案内経路８２の上に出た噴射水５の一部は吸湿部材１３の側に向かってそれに吸収され、そこで気化されて気化雰囲気７の形成に貢献する。吸湿部材１３を取り外していると、通路壁を越えてまわりに向かう噴射水５はカウンター方向となっている気流１５に乗じにくく、自然落下ないしは自然流下して受水皿８０に回収されるので、これが気液分離効果となって排気中の湿気を低減することができる。
【００５４】
なお、給水タンクを持たず、上水道または人によって給水するものとするため、貯水部８１には図６に示すようにフロート８４が、上本体１ａの側から挿入され、水位を自動検出し、満水や給水の判定や表示、自動給水に供するようにしている。また、上本体１ａには軸８５ａにて起伏できるように支持したハンドル８５を設けて持ち運びしやすくしている。他の構成は先の例と、構成および作用において特に変わるところはなく、共通する部材には同一の符号を付し、重複する説明は省略する。
【００５５】
ところで、噴射ノズル２は通常、正イオンに対し負イオン化を多く発生させるが、特許文献６は二液ノズルにより正、負両イオンをほぼ同数発生させて、対象物の除電に供することを開示している。これは、環境雰囲気中の塵埃にも正、負イオンがほぼ均等に分布していると考えると、これらの清浄化には正、負イオン化空気をほぼ均等な分布で供給するのが好適な筈である。しかし、二液ノズルを用いるのではコスト高になる。そこで、本発明者は水の噴射に際して空気を吸入し、泡水として噴射すると正、負イオン化空気をほぼ均等に発生させられることを知見した。正、負イオン化空気をほぼ均等に発生させると発生させられるイオン総数が負イオン化空気優先の発生時よりも３〜４倍に増大する。また、通常の噴射水５を吸湿部材１３に当てるようにしても泡を伴う正、負イオン化空気の発生を見ることができる。そこで、噴射水５を平滑な衝突面２１に衝突させるか、吸湿部材１３に当てるかで負イオン化空気を多く発生させるか、正、負イオン化空気をほぼ均等に発生させるかを選択することができる。また、電動ポンプ４１により貯水６を吸水して噴射ノズル２から噴射させるのに、吸水経路の吸水口を貯水６の水面の直近にて位置させるだけで、吸水に併せ吸気もでき泡水を噴射させられる。もっとも、噴射ノズル２に吸気部を設けて対応することもできる。
【００５６】
なお、噴射ノズル２は異物などによって時として詰まりを生じ、水を噴射できなくなることがある。電動ポンプ４１の場合噴射ノズル２に詰まりがあると通常の公差範囲を上まわる異常圧が掛かり、これが異常電流量として現れる。そこで、この圧力や電流量の異常上昇を検出して異常の報知や運転停止を自動で行うと好適である。図１０に示す電流量による場合の制御例について説明する。電源スイッチがオンすると制御が開始し、まず、電流量Ｉが通常公差Ｉ０に対し上下限値±α以下かどうか判定する。以下であれば正常と判定してそのまま運転を継続する。判定が＋α以下でなければ異常圧を意味するのでノズル経路異常を報知するのに併せ、運転を自動停止する。また、判定が別の基準値、つまり＋α以下であるが、高め判定基準値Ｉ１に対し上限値βの範囲が所定時間、例えば５分継続するようなときは、ノズル取り付けミスと判断して報知し、運転を停止する。最後に判定が−α以下であれば、負荷がなく貯水６ないしは給水がないことを意味するので給水報知をし、運転を自動停止する。
【００５７】
これにより、過負荷の異常状態での使用による故障や、貯水６のない状態での無駄かつ無効な運転が避けられる。また、フロートスイッチが不要となるし、フロートスイッチ使用時はどうしても貯水６の残量がある程度生じていたが、吸水経路の吸水口を貯水部の最低位部に位置させることで、貯水６の残量をより抑えやすくなる。
【００５８】
また、図５〜図９の例では、噴射ノズル２からの噴射水５を吸湿部材１３に直接当てて吸水させるのに併せ、噴射水５が受水皿８０に溜まった貯水６ａを吸水させて、気流１５に曝し気化を図るようにしているが、噴射ノズル２から水を噴射しての使用を選択したり、冬場は噴射ノズル２による負イオン化空気の発生によって過剰加湿となって人が加湿雰囲気を冷たく感じるようなことを防止するなどで噴射を停止しての使用を選択したり、するような場合、噴射時には受水皿８０に貯水６ａが常に給水されるので吸湿部材１３による加湿機能は損なわれない。しかし、噴射停止によって避ける場合、受水皿８０への給水がないので吸湿部材１３を利用した加湿機能が損なわれる。
【００５９】
そこで、噴射ノズル２からの水の噴射を省略する使用モードにおいて、定期的に、あるいは検出した環境温度や湿度に応じて水の噴射を行い、受水皿８０への給水を確保すると好適である。
【００６０】
図１１に示す定期的に行う場合につき説明する。なお、加湿量６００ｍｌ／ｈ（温度２０℃、湿度３０％）、噴射量３００ｍｌ／分、貯水量３００ｍｌの条件を仮定し、３０分ごとに１分噴射するようにしている。
【００６１】
具体的には、メインスイッチがオフであればノズル噴射なしの状態が継続する。メインスイッチがオンすると、まず、負イオン発生モードかどうかを判定する。負イオン発生モードであればノズル噴射を開始し、メインスイッチオフまで継続する。負イオン発生モードでなければ、タイマカウントを開始し、１分経過する間ノズル噴射を行って後３０分経過までノズル噴射を停止し、タイマをリセットすることを繰り返す。
【００６２】
図１２に示す温度、湿度に応じて行う場合につき説明する。なお、加湿量６００ｍｌ／ｈ（温度２０℃、湿度３０％）、噴射量３００ｍｌ／分、貯水量３００ｍｌの条件を仮定し、気温が１℃高いと加湿量は２５ｍｌ増加させ、１℃低いと２５ｍｌ減少させる。湿度が１％高いと加湿量は２５ｍｌ減少させ、１％低いと加湿量は２５ｍｌ増加させるもので、３０分ごとに１度噴射することによりそれを実現する。
【００６３】
具体的には、メインスイッチがオンすると、まず、負イオン発生モードかどうかを判定する。負イオン発生モードであればノズル噴射を開始し、メインスイッチオフまで継続する。負イオン発生モードでなければ、タイマカウントを開始し、気温Ｘの基準温度２０℃との差Ｘ′および湿度Ｙの基準湿度３０％との差Ｙ′を求め、
１＋［２５（Ｘ′−Ｙ′）／１８０００］分
で求められる時間が経過する間ノズル噴射を行って後３０分経過するまでノズル噴射を停止し、タイマをリセットすることを繰り返す。
【００６４】
図１３、図１４に示す例について詳述する。本例では気化手段８として、噴射ノズル２に加え、噴射ノズル２のまわりに通口４８ａを持った通路壁４８を仕切り壁４５から受水皿３０の底部に至って貯水６中に浸漬するように設け、この通路壁４８の内側に横軸１０１によって回転する回転部材１０２を支持し、回転部材１０２にはその横軸１０１の中央部に噴射ノズル２からの噴射水５に対する衝突面２１を先端に持った羽根１０３ａが放射状に配列された水車部１０３を設け、この水車部１０３の両側に横軸１０１まわりの気化円板１０４ａを１枚または複数枚持った気化部１０４を設けてある。羽根１０３ａには貯水６に対する逃げ孔１０３ｂを設け、気化円板１０４ａには通口１０４ｂを設けてある。
【００６５】
噴射ノズル２からの噴射水５は羽根１０３ａの衝突面２１に衝突して再分裂することで、負イオン化空気の発生を促進することを、水車部１０３に回転を与えながら繰り返し、水車部１０３との複雑な衝突によっても負イオン化空気の発生を促進する。これに併せ、水車部１０３の回転に伴い気化部１０４も回転し、各気化円板１０４ａの表面が貯水６内に浸漬して表面を濡らし、濡れ付着している貯水６を、通路壁８４が形成している噴射水雰囲気３および吸湿部材１３を通過した気化雰囲気７に共通したファン４への吸気を図る経路８３内に持ち上げることを繰り返し、ファン４による気流１５に曝して旺盛な気化が図れるようにしている。これにより、加湿機能、および負イオン化空気の供給機能が共に増大する。
【００６６】
なお、気化円板１０４ａは通口１０４ｂに代えて放射状のスリットで分割された羽根型としてもよい。通口１０４ｂやスリットは隣接の気化円板１０４ａ毎に位置を違えておくなどにより、側方から進入する気流１５が各気化円板１０４ａ間へ分散して通気させやすくすると、気化効率が向上する。
【００６７】
【発明の効果】
本発明の１つの特徴の加湿機によれば、上、下本体を組み合わせた本体で、下本体側の気化手段を始めとする水回り装備により、電気装備なしに水の吸収・発散またはおよび噴射を行って気化を図り、上本体側のファンを始めとする電気装備による吸、排気作用を下本体側に及ぼして、水回り装備なしにも、前記下本体側での気化を促進し、形成される高湿な気化雰囲気の本体外への排気を図って、まわりを加湿することができる。しかも、このように加湿が行える本体でも、水回り装備と電気装備とを住み分け装備した下本体と上本体とに分離することにより、水垢が付着するなど汚れが蓄積しやすい水回り部を下本体側で、電気装備への水の影響など無関係に洗浄水への浸漬や丸洗いなどして容易に、しかも細部まで行き届いた洗浄ができ、長期に清潔に保ちやすい。従って、環境改善機器、健康機器として好適である。
【００６８】
本発明の他の特徴の加湿機によれば、上、下本体を組み合わせた本体で、下本体側の水の吸水と発散を図る気化手段を始めとする水回り装備と、上本体側の噴射ノズルからの水の噴射により、下本体側の電気装備なしに水の吸収・発散および噴射を行って気化および負イオン化空気の発生が図れる気化手段として働きながら、上本体側でのファンを始めとする電気装備による吸、排気作用を下本体側に及ぼして、前記下本体側での気化を促進し、形成される負イオン化空気および高湿な気化雰囲気の本体外への排気を図って、まわりを負イオンの供給を伴い加湿することができ、加湿だけの場合に比し環境改善および動植物を含めた健康促進に好適である。しかも、このように加湿が行える本体でも、下本体と上本体とに分離することにより、水垢が付着するなど汚れが蓄積しやすい水回り部を下本体側で、電気装備への水の影響など無関係に洗浄水への浸漬や丸洗いなどして容易に、しかも細部まで行き届いた洗浄ができる。上本体側は噴射ノズルにより水の噴射を行うにしても水とは外面にて触れ合うだけであって電気装備に影響しないので、洗浄の必要な水回り部を内部に有したものとはなっていないので、お手入れ上は水回り装備のないものと等価である。従って、本体全体に長期に清潔に保ちやすい点で、先の例と特に変わらない。
【００６９】
本発明の別の特徴の加湿機によれば、上、下本体を組み合わせた本体で、下本体側の貯水部での水受けまたはおよび水の供給を伴い、気化手段を始めとする水回り装備と、上本体側の水を噴射させて分裂させ負イオン化空気を発生させる噴射ノズルからの水の噴射により、下本体側での電気装備なしに水の吸収・発散および噴射を行って気化および負イオン化空気の発生を図り、上本体側のファンを始めとする電気装備による吸、排気作用を下本体側に及ぼして、前記下本体側での気化を促進し、形成される負イオン化空気および高湿な気化雰囲気の本体外への排気を図って、まわりを負イオンの供給を伴い加湿することができる。しかも、このように加湿が行える本体でも、下本体と上本体とに分離することにより、水垢が付着するなど汚れが蓄積しやすい水回り部を下本体側で、電気装備への水の影響など無関係に洗浄水への浸漬や丸洗いなどして容易に、しかも細部まで行き届いた洗浄ができる。上本体側は噴射ノズルにより水の噴射を行うにしても水とは外面にて触れ合うだけであって電気装備に影響しないので、洗浄の必要な水回り部を内部に有したものとはなっていないので、お手入れ上は水回り装備のないものと等価である。従って、本体全体に長期に清潔に保ちやすく、環境改善機器、健康機器として好適である。
【００７０】
上記各発明での下本体において、貯水、給水、気化雰囲気および噴射水雰囲気形成の少なくとも１つに関係する１つまたは複数の水回り部材を所定の単位で分離できるように設けた、さらなる構成によれば、
下本体に、貯水、給水、気化雰囲気および噴射水雰囲気形成の少なくとも１つに関係する部材を分離できるように設けるのに、所定の単位で分離することにより、成形および洗浄双方の難易度を配慮して、必要最小限の部品数にて必要最小限の単位での洗浄水への浸漬や丸洗いなどの洗浄が行える。
【００７１】
上本体において、噴射ノズルおよびファンの羽根車まわりは上本体から分離できるように設けた、さらなる構成によれば、
上本体に設ける噴射ノズルおよびファンの羽根車まわりは、それ自体が水の噴射を行ったり、気化雰囲気の吸気、排気を行って、高湿雰囲気にさらされる意味で準水回り部となるが、上本体から分離できることによって、モータを始めとする電気装備から縁切りして、洗浄水への浸漬や丸洗いなどすることができる。
【００７２】
噴射ノズルのまわりを囲う囲い壁を有し、この囲い壁は噴射水雰囲気をファンによって吸気する経路をなしている、さらなる構成によれば、
噴射ノズルのまわりを囲う囲い壁は、噴射ノズルからの噴射水を所定の領域に閉じ込めながら、ファンからの吸気に供して、噴射水が形成しファンに吸気される気化雰囲気の単位量当りの湿度および負イオン化空気の濃度をほぼ規定することができる。
【００７３】
上本体が、水を噴射するための電動ポンプを備えている、さらなる構成によれば、
上本体に備えた噴射ノズルにて水を噴射するのに、上本体に電動ポンプを備えることによって、下本体側の貯水や下本体側からの給水といった水回り装備を、上本体側の電動ポンプによって利用し、上本体側に貯水や給水構造を持たずに噴射ノズルによる下本体への噴射を行うことができる。
【図面の簡単な説明】
【図１】本発明の実施例に係る加湿機の１つの例を示す長手方向で見た断面図。
【図２】図１の加湿機の本体の吸気口側で見た側面図。
【図３】図１の加湿機の平面図。
【図４】図１の加湿機の分解断面図である。
【図５】本発明の実施例に係る加湿機の他の例を示す断面図。
【図６】図５の加湿機の水位検出用のフロート部を示す一部の断面図。
【図７】図５の加湿機の本体の吸気口側で見た側面図。
【図８】図５の加湿機の平面図。
【図９】図５の加湿機の機構部を取り外して見た平面図。
【図１０】噴射ノズルの異常をポンプ駆動電流の変化によって検出し自動的に対応する制御例を示すフローチャート。
【図１１】温度、湿度に関係なく噴射ノズルから定期的に噴射する場合の制御例を示すフローチャート。
【図１２】温度、湿度に応じて噴射ノズルからの噴射を行う場合の制御例を示すフローチャート。
【図１３】本発明の実施例に係る加湿機の別の例を示す断面図。
【図１４】図１３の加湿機の要部の側面図。
【符号の説明】
１  本体
１ａ  上本体
１ｂ  下本体
２  噴射ノズル
３  噴射水雰囲気
４  ファン
５  噴射水
６  貯水
７  気化雰囲気
８  気化手段
１３  吸湿部材
１６、１７、８３  経路
２１  衝突面
３０  貯水皿
３１  給水タンク
３２ａ、３２ｂ  外ケース
４１  電動ポンプ
４２  モータ
４３ａ  羽根車
４３ｂ  ファンケーシング
４３ｂ１  上ファンケーシング
４３ｂ２  下ファンケーシング
４６  囲い壁
４５  仕切り壁
４８  通路壁
【図１】
2005016807.tif 000003
【図２】
2005016807.tif 000004
【図３】
2005016807.tif 000005
【図４】
2005016807.tif 000006
【図５】
2005016807.tif 000007
【図６】
2005016807.tif 000008
【図７】
2005016807.tif 000009
【図８】
2005016807.tif 000010
【図９】
2005016807.tif 000011
【図１０】
2005016807.tif 000012
【図１１】
2005016807.tif 000013
【図１２】
2005016807.tif 000014
【図１３】
2005016807.tif 000015
【図１４】
2005016807.tif 000016